(57)【要約】【課題】信号状態が悪化すると予測されるときに、その悪化する部分に対する復調処理の性能を下げることにより、復調器の消費電力をより一層低減することが可能なデジタル復調技術を提供する。【解決手段】信号状態予測部９３により制御部４による所定の制御が行われることによって受信信号の信号状態が所定の状態まで悪化すると予測されたときに、復調制御部４１は、この信号状態が悪化する部分を処理する際の、復調器３を構成する複数の回路部品のうちの少なくとも何れか１つの動作をその性能が低下するように制御する。【選択図】  図９
2007150535.tif 000002
【特許請求の範囲】
【請求項１】
受信信号に選局処理を施すチューナと、このチューナからの受信信号に復調処理を施す復調器と、前記チューナ及び前記復調器を制御する制御手段とを備えたデジタル復調装置であって、
前記制御手段による所定の制御が行われたと仮定したときの前記受信信号の信号状態を予測する信号状態予測手段と、
前記信号状態予測手段により、前記制御手段による制御が行われることによって前記受信信号の信号状態が所定の状態まで悪化すると予測されたときに、この信号状態が悪化する部分を処理する際の、前記復調器を構成する複数の回路部品のうちの少なくとも何れか１つの動作をその性能が低下するように制御する動作制御手段と、
を有することを特徴とするデジタル復調装置。
【請求項２】
前記制御手段により前記所定の制御が行われたと仮定したときの受信信号のＣＮ比を推定するＣＮ比推定手段を有し、
前記信号状態予測手段は、前記ＣＮ比推定手段により推定されたＣＮ比が所定の閾値以下となる場合に、前記受信信号の信号状態が所定の状態まで悪化すると判定することを特徴とする請求項１に記載のデジタル復調装置。
【請求項３】
前記復調器は、アナログ信号である前記受信信号をデジタル信号に変換するＡＤ変換手段を有し、
前記動作制御手段は、前記ＡＤ変換手段に供給される電力を減少させることによりその動作を制御することを特徴とする請求項１又は２に記載のデジタル復調装置。
【請求項４】
前記動作制御手段は、前記ＡＤ変換手段の分解能が小さくなるように前記電力を減少させることを特徴とする請求項３に記載のデジタル復調装置。
【請求項５】
前記動作制御手段は、前記ＡＤ変換手段のサンプリング周波数が小さくなるように前記電力を減少させることを特徴とする請求項３に記載のデジタル復調装置。
【請求項６】
前記復調器は、アナログ信号である前記受信信号をデジタル信号に変換するＡＤ変換手段と、このＡＤ変換手段からのデジタル信号を処理する複数のデジタル回路とを有し、
前記動作制御手段は、前記信号状態予測手段により信号状態が悪化すると予測されたシンボル単位で、前記複数のデジタル回路のうちの少なくとも１つにおける前記受信信号に対する処理を停止させることを特徴とする請求項１〜５の何れかに記載のデジタル復調装置。
【請求項７】
前記動作制御手段は、シンボル同期部、ＦＦＴ部、フレーム同期部、検波部、波形等化部、及び、周波数デインターリーブ部のうちの何れか１つにおける前記受信信号に対する処理を停止させることを特徴とする請求項６に記載のデジタル復調装置。
【請求項８】
前記受信信号にはインターリーブ処理が施されており、
前記インターリーブ処理が施された前記受信信号にデインターリーブ処理を施すとともに、前記デインターリーブ処理が施された受信信号に含まれる誤りを訂正する誤り訂正手段を有することを特徴とする請求項７に記載のデジタル復調装置。
【請求項９】
前記誤り訂正手段は、受信信号に時間デインターリーブ処理を施す時間デインターリーブ手段を有し、
前記信号状態予測手段により信号状態が悪化すると予測されたシンボル単位で、前記複数のデジタル回路のうちの少なくとも１つにおける前記受信信号に対する処理が停止したときに、前記受信信号の代わりに前記時間デインターリーブ手段へダミー信号を出力するダミー信号生成手段を有することを特徴とする請求項８に記載のデジタル復調装置。
【請求項１０】
前記誤り訂正手段は、入力される信号の信頼性に基づいてその誤り訂正性能を変更するように構成されていることを特徴とする請求項９に記載のデジタル復調装置。
【請求項１１】
前記ダミー信号生成手段は、前記ダミー信号の信頼性を最も低く設定することを特徴とする請求項１０に記載のデジタル復調装置。
【請求項１２】
前記誤り訂正手段は、畳み込み符号化された前記受信信号を復号する復号手段を有することを特徴とする請求項１０又は１１に記載のデジタル復調装置。
【請求項１３】
前記復号手段は、入力される信号の信頼性に基づいてトレースバック長を変更することを特徴とする請求項１２に記載のデジタル復調装置。
【請求項１４】
前記復号手段は、入力される信号の信頼性を反映させずに復号処理を行う第１復号モードと、前記信頼性を反映させて復号処理を行う第２復号モードの、２つの復号モードの何れか一方を選択可能であり、
さらに、前記復号手段は、前記信頼性に基づいて前記２つの復号モードを切り換えることを特徴とする請求項１２又は１３に記載のデジタル復調装置。
【請求項１５】
請求項１〜１４の何れかに記載のデジタル復調装置を備えており、
前記デジタル復調装置が復調した受信信号に基づいて、文字、画像、音声及びデータの少なくともいずれか１つの再現処理を行うことを特徴とするデジタル受信装置。
【請求項１６】
受信信号に選局処理を施すチューナとこのチューナからの受信信号に復調処理を施す復調器を備えたデジタル復調装置と、このデジタル復調装置を含む受信装置全体の制御を行う制御手段とを備えたデジタル受信装置であって、
前記制御手段による所定の制御が行われたと仮定したときの前記受信信号の信号状態を予測する信号状態予測手段と、
前記信号状態予測手段により、前記制御手段により前記所定の制御が行われることによって前記受信信号の信号状態が所定の状態まで悪化すると予測されたときに、この信号状態が悪化する部分を処理する際の、前記復調器を構成する複数の回路部品のうちの少なくとも何れか１つの動作をその性能が低下するように制御する動作制御手段と、
を有することを特徴とするデジタル受信装置。
【請求項１７】
受信信号に選局処理を施すチューナと、このチューナからの受信信号に復調処理を施す復調器と、前記チューナ及び前記復調器を制御する制御手段とを備えたデジタル復調装置の制御方法であって、
前記制御手段による所定の制御が行われたと仮定したときの前記受信信号の信号状態を予測する信号状態予測ステップと、
前記信号状態予測ステップにおいて、前記制御手段による前記所定の制御が行われることによって前記受信信号の信号状態が所定の状態まで悪化すると予測されたときに、この信号状態が悪化する部分を処理する際の、前記復調器を構成する複数の回路部品のうちの少なくとも何れか１つの動作をその性能が低下するように制御する動作制御ステップと
を有することを特徴とするデジタル復調装置の制御方法。
【請求項１８】
受信信号に選局処理を施すチューナと、このチューナからの受信信号に復調処理を施す復調器と、前記チューナ及び前記復調器を制御する制御手段とを備えたデジタル復調装置の制御プログラムであって、
前記制御手段による所定の制御が行われたと仮定したときの前記受信信号の信号状態を予測する信号状態予測ステップと、
前記信号状態予測ステップにおいて、前記制御手段による前記所定の制御が行われることによって前記受信信号の信号状態が所定の状態まで悪化すると予測されたときに、この信号状態が悪化する部分を処理する際の、前記復調器を構成する複数の回路部品のうちの少なくとも何れか１つの動作をその性能が低下するように制御する動作制御ステップと
を有することを特徴とするデジタル復調装置の制御プログラム。
【請求項１９】
請求項１８に記載のデジタル復調装置の制御プログラムを記録したことを特徴とする記録媒体。
【発明の詳細な説明】
【技術分野】
【０００１】
本発明は、デジタル送信装置から送信された変調信号を受信して復調するデジタル復調技術に関する。
【背景技術】
【０００２】
近年、デジタル送信装置から送信された変調信号を受信して復調するデジタル復調装置として、低消費電力化を実現可能なものが提案されている。例えば、特許文献１に記載されたデジタル復調装置は、チューナや復調器を構成する各部の電源を適当時間ＯＮ−ＯＦＦすることにより、消費電力を低減することが可能に構成されている。
【０００３】
【特許文献１】特開２００１−２５１２７５号公報
【発明の開示】
【発明が解決しようとする課題】
【０００４】
ところで、チューナや復調器を構成する各部の電源が制御されたときには、その制御タイミングや制御時間等の条件にもよるが、受信信号にノイズが発生して信号状態が悪化することがある。その場合に、例えば、受信信号の一部が完全につぶれてデータを取り出せない場合などには、復調器において、信号状態が正常な場合に施されるのと同じ復調処理を、信号状態が悪化した部分に対して施すことは無駄であり、その無駄な処理のために余分な電力を消費することになる。
【０００５】
本発明の目的は、信号状態が悪化すると予測されるときに、その悪化する部分に対する復調処理の性能を下げることにより、復調器の消費電力をより一層低減することが可能なデジタル復調技術を提供することである。
【課題を解決するための手段及び発明の効果】
【０００６】
本発明のデジタル復調装置は、受信信号に選局処理を施すチューナと、このチューナからの受信信号に復調処理を施す復調器と、前記チューナ及び前記復調器を制御する制御手段とを備えたデジタル復調装置であって、前記制御手段による所定の制御が行われたと仮定したときの前記受信信号の信号状態を予測する信号状態予測手段と、前記信号状態予測手段により、前記制御手段による前記所定の制御が行われることによって前記受信信号の信号状態が所定の状態まで悪化すると予測されたときに、この信号状態が悪化する部分を処理する際の、前記復調器を構成する複数の回路部品のうちの少なくとも何れか１つの動作をその性能が低下するように制御する動作制御手段とを有することを特徴とするものである。
【０００７】
この構成によれば、信号状態予測手段により、制御手段による所定の制御が行われることによって受信信号の状態が悪化すると予測されるときには、動作制御手段は、復調器を構成する回路部品の動作をその性能が低下するように制御する。つまり、制御手段による制御によって受信信号の一部の状態がデータを取り出せない程度まで悪化したときには、その悪化した部分に対して正常な部分と同じ復調処理を施すことは無駄であるため、状態が悪化した部分に対する復調処理の性能を低下させることで、復調器の消費電力を低下させることが可能になる。尚、以下の説明において、「回路部品」とは、復調器の各部を構成する回路に限られるものではなく、回路を構成する１個のトランジスタに等価な部品等、あらゆる単位の部品が回路部品に相当し得る。
【０００８】
また、本発明のデジタル復調装置が、前記制御手段により前記所定の制御が行われたと仮定したときの受信信号のＣＮ比を推定するＣＮ比推定手段を有し、前記信号状態予測手段は、前記ＣＮ比推定手段により推定されたＣＮ比が所定の閾値以下となる場合に、前記受信信号の信号状態が所定の状態まで悪化すると判定するように構成されていてもよい。この構成によれば、制御手段による所定の制御が行われたと仮定したときに推定されるＣＮ比が所定の閾値を下回ったときに、受信信号の信号状態が悪化すると判定されて、復調器を構成する回路部品の動作がその性能が低下するように制御される。
【０００９】
本発明のデジタル復調装置は、前記復調器は、アナログ信号である前記受信信号をデジタル信号に変換するＡＤ変換手段を有し、前記動作制御手段は、前記ＡＤ変換手段に供給される電力を減少させることによりその動作を制御することを特徴とするものである。この構成によれば、受信信号の状態が悪化したときに、その悪化した部分を処理する際のＡＤ変換手段に供給される電力が減少することから、復調器の消費電力が低下する。
【００１０】
ここで、前記動作制御手段は、前記ＡＤ変換手段の分解能が小さくなるように前記電力を低下させてもよい。あるいは、前記動作制御手段は、前記ＡＤ変換手段のサンプリング周波数が小さくなるように前記電力を低下させてもよい。
【００１１】
本発明のデジタル復調装置は、前記復調器は、アナログ信号である前記受信信号をデジタル信号に変換するＡＤ変換手段と、このＡＤ変換手段からのデジタル信号を処理する複数のデジタル回路とを有し、前記動作制御手段は、前記信号状態予測手段により信号状態が悪化すると予測されたシンボル単位で、前記複数のデジタル回路のうちの少なくとも１つにおける前記受信信号に対する処理を停止させることを特徴とするものである。この構成によれば、受信信号の状態が悪化したときには、少なくとも１つのデジタル回路の処理が停止して演算量等が減少することから、復調器の消費電力が低下する。
【００１２】
ここで、動作制御手段は、前述の複数のデジタル回路として、シンボル同期部、ＦＦＴ部、フレーム同期部、検波部、波形等化部、及び、周波数デインターリーブ部のうちの何れか１つにおける前記受信信号に対する処理を停止させてもよい。
【００１３】
本発明のデジタル復調装置は、前記受信信号にはインターリーブ処理が施されており、前記インターリーブ処理が施された前記受信信号にデインターリーブ処理を施すとともに、前記デインターリーブ処理が施された受信信号に含まれる誤りを訂正する誤り訂正手段を有することを特徴とするものである。この構成によれば、制御手段による所定の制御が行われたときに、受信信号の誤りが増加して状態が悪化しても、その受信信号の誤りはデインターリーブ処理により分散されて、誤り訂正手段により誤りが訂正されるため、正確なデータの取得が可能になる。
【００１４】
本発明のデジタル復調装置は、前記誤り訂正手段は、受信信号に時間デインターリーブ処理を施す時間デインターリーブ手段を有し、前記動作制御手段が、前記信号状態予測手段により信号状態が悪化すると予測されたシンボル単位で、前記複数のデジタル回路のうちの少なくとも１つにおける前記受信信号に対する処理が停止したときに、前記受信信号の代わりに前記時間デインターリーブ手段へダミー信号を供給するダミー信号生成手段を有することを特徴とするものである。ＡＤ変換手段の後のデジタル回路における処理が停止すると、その間、時間デインターリーブ手段へデータが出力されなくなり、時間デインターリーブ処理が正常に行われなくなる。しかし、本発明では、受信信号の状態が悪化してデジタル回路の処理が停止したときに、時間デインターリーブ手段へ受信信号の代わりにダミー信号が入力されるため、時間デインターリーブ処理が正しく行われる。
【００１５】
本発明のデジタル復調装置は、前記誤り訂正手段は、入力される信号の信頼性に基づいてその誤り訂正性能を変更するように構成されていることを特徴とするものである。この構成によれば、誤り訂正性能を、入力される信号の信頼性に基づいて適切に設定することができる。
【００１６】
ここで、前記ダミー信号生成手段が、前記ダミー信号の信頼性を最も低く設定するように構成されていてもよい。この構成によれば、誤り訂正手段にダミー信号が入力されたときには、入力された信号が誤っていると判定して、その誤り訂正性能を向上させる。
【００１７】
また、前記誤り訂正手段が、畳み込み符号化された前記受信信号を復号する復号手段を有するものであってもよい。この構成では、畳み込み符号化された受信信号を復号手段で復号することにより、受信信号に含まれる誤りを訂正できる。
【００１８】
さらに、前記復号手段は、入力される信号の信頼性に基づいてトレースバック長を変更するように構成されていてもよい。畳み込み符号は、過去のデータの履歴から符号化を行う方法であることから、畳み込み符号化された信号を復号する復号手段においてトレースバック長（過去に遡ってデータを参照する長さ）が長いほど、誤り訂正手段の誤り訂正性能は高くなる。従って、本発明によれば、入力される信号の信頼性が高い場合、即ち、信号状態が良好な場合には、トレースバック長を短くすることにより演算量等を少なくして消費電力を低減できる。一方、入力される信号の信頼性が低い場合、即ち、信号状態が悪い場合には、トレースバック長を長くすることにより、誤りをより確実に訂正することができるようになる。
【００１９】
また、前記復号手段は、入力される信号の信頼性を反映させずに復号処理を行う第１復号モードと、前記信頼性を反映させて復号処理を行う第２復号モードの、２つの復号モードの何れか一方を選択可能であり、さらに、前記復号手段は、前記信頼性に基づいて前記２つの復号モードを切り換えるように構成されていてもよい。この構成によれば、入力される信号の信頼性が高い場合、即ち、信号状態が良好な場合には、第１復号モードを選択して信号の信頼性を反映させずに復号処理を行うことにより、復号処理の演算量等を少なくして消費電力を低減できる。一方、入力される信号の信頼性が低い場合、即ち、信号状態が悪い場合には、第２復号モードを選択して信頼性を反映させて復号処理を行うことにより、誤りをより確実に訂正することができるようになる。
【００２０】
以上のデジタル復調装置は、文字、画像、音声及びデータの少なくともいずれか１つの再現処理を行う携帯電話やデジタルＴＶ等の様々なデジタル受信装置に採用され得る。このようなデジタル受信装置は本発明のデジタル復調装置が復調した受信信号から文字、画像、音声、あるいは、データに係る情報を取得し、これらの再現処理を行う。
【００２１】
あるいは、デジタル受信装置が、受信信号に選局処理を施すチューナとこのチューナからの受信信号に復調処理を施す復調器を備えたデジタル復調装置と、このデジタル復調装置を含む受信装置全体の制御を行う制御手段とを備え、前記制御手段による所定の制御が行われたと仮定したときの前記受信信号の信号状態を予測する信号状態予測手段と、前記信号状態予測手段により、前記制御手段により前記所定の制御が行われることによって前記受信信号の信号状態が所定の状態まで悪化すると予測されたときに、この信号状態が悪化する部分を処理する際の、前記復調器を構成する複数の回路部品のうちの少なくとも何れか１つの動作をその性能が低下するように制御する動作制御手段とを有するものであってもよい。
【００２２】
受信装置全体を制御する制御手段によりある制御が行われた場合にも、受信信号にノイズが発生して信号状態が悪化することがあり得る。そこで、本発明では、制御手段により所定の制御が行われることによって受信信号の信号状態が悪化すると予測されたときに、動作制御手段は、復調器を構成する回路部品の動作をその性能が低下するように制御することで、復調器の消費電力を低下させる。
【００２３】
本発明のデジタル復調装置の制御方法は、受信信号に選局処理を施すチューナと、このチューナからの受信信号に復調処理を施す復調器と、前記チューナ及び前記復調器を制御する制御手段とを備えたデジタル復調装置の制御方法であって、前記制御手段による所定の制御が行われたと仮定したときの前記受信信号の信号状態を予測する信号状態予測ステップと、前記信号状態予測ステップにおいて、前記制御手段による前記所定の制御が行われることによって前記受信信号の信号状態が所定の状態まで悪化すると予測されたときに、この信号状態が悪化する部分を処理する際の、前記復調器を構成する複数の回路部品のうちの少なくとも何れか１つの動作をその性能が低下するように制御する動作制御ステップとを有することを特徴とするものである。
【００２４】
この制御方法によれば、制御手段による所定の制御が行われることによって受信信号の状態が悪化すると予測されるときには、動作制御手段は、復調器を構成する回路部品の動作をその性能が低下するように制御するため、復調器の消費電力を低下させることが可能になる。
【００２５】
本発明のデジタル復調装置の制御プログラムは、受信信号に選局処理を施すチューナと、このチューナからの受信信号に復調処理を施す復調器と、前記チューナ及び前記復調器を制御する制御手段とを備えたデジタル復調装置の制御プログラムであって、前記制御手段による所定の制御が行われたと仮定したときの前記受信信号の信号状態を予測する信号状態予測ステップと、前記信号状態予測ステップにおいて、前記制御手段による前記所定の制御が行われることによって前記受信信号の信号状態が所定の状態まで悪化すると予測されたときに、この信号状態が悪化する部分を処理する際の、前記復調器を構成する複数の回路部品のうちの少なくとも何れか１つの動作をその性能が低下するように制御する動作制御ステップとを有することを特徴とするものである。
【００２６】
この制御プログラムによれば、制御手段による所定の制御が行われることによって受信信号の状態が悪化すると予測されるときには、動作制御手段は、復調器を構成する回路部品の動作をその性能が低下するように制御するため、復調器の消費電力を低下させることが可能になる。
【００２７】
本発明の記録媒体は、前述のデジタル復調装置の制御プログラムを記録したことを特徴とするものである。この構成によれば、復調器の消費電力を低下させることが可能になる。
【発明を実施するための最良の形態】
【００２８】
本発明の実施の形態について図面を参照して説明する。本実施形態のデジタル復調装置１は、例えば、図１に示すような携帯電話２０１（デジタル受信装置）に設けられている。そして、携帯電話２０１がアンテナから受信した信号Ｓｒはデジタル復調装置１によって復調され、復調された信号からプログラムなどのデータ、文字、画像、あるいは、音声などが再現されて、これらの情報が、携帯電話２０１に設けられた図示されていないディスプレイやスピーカを通じて電話の使用者に提供される。尚、本実施形態では、携帯電話用のデジタル復調装置１を例に挙げて説明するが、携帯電話以外のデジタル受信装置、例えば、デジタルＴＶ、無線ＬＡＮ装置、あるいは、無線ＬＡＮを搭載したＰＣ等に用いられるものであってもよい。
【００２９】
次に、携帯電話２０１のアンテナで受信されて、デジタル復調装置１により復調される信号Ｓｒ（受信信号）について少し説明しておく。ここでは、特に、日本の地上波デジタル放送に係る方式、即ち、ＩＳＤＢ−Ｔ（Integrated Services Digital Broadcasting-Terrestrial）方式を採用した場合を例に挙げて説明する。
【００３０】
まず、送信される文字、画像、音声、及び、プログラム等のデータはそれぞれ所定の方式に基づいてデジタル化される。さらに、デジタル化されたデータに対して、伝送経路で発生する雑音や干渉波によって発生する誤りを受信側で訂正できるようにするための符号が付加される。このような符号としては、リードソロモン符号（ＲＳ符号）と畳み込み符号とが用いられる。地上波デジタル放送で用いられるＲＳ符号においては、伝送される２０４バイトのデータのうち、後ろ１６バイト分がチェックビットであり、２０４バイト中最大８バイトの誤りが訂正可能である。また、畳み込み符号においてはビタビ符号が用いられ、符号化後の伝送されるｎビットに対して、符号化前のデータがｋビットのときの符号化率をｋ／ｎとして、１／２から７／８が規格化されている。そして、受信側のデジタル復調装置１において、これらＲＳ符号化及びビタビ符号化されたデータを元に戻すＲＳ復号及びビタビ復号がそれぞれ行われることにより、伝送時等で生じた誤りが訂正される。
【００３１】
ところで、伝送経路の状態によっては、伝送信号に対して時間的又は周波数的に誤りが連続的に集中するバースト誤りが発生する場合がある。そして、上記のようなＲＳ符号化の誤り訂正によってある長さの信号に発生する誤りを訂正する場合、この長さの信号あたりにおける訂正可能な誤り数には限界があることから、上記のようなバースト誤りが発生すると、誤りの訂正が不可能となる場合がある。またビタビ復号化において、復号前のデータに誤りがある場合には、誤った符号化訂正を行ってしまい、かえって連続的な誤りが増えてしまう場合もある。そこで、ＩＳＤＢ−Ｔ方式においては、このように伝送信号にバースト誤りが発生した場合にも誤り訂正が可能となるように、送信側において伝送されるデータを時間や周波数的に並べ替える種々のインターリーブ処理が施される。そして、受信側において、データを元に戻すデインターリーブ処理が施されることにより、伝送時に生じたバースト誤りが離散的に、かつ分散されることになる（図６参照）。これらインターリーブ処理及びデインターリーブ処理については、後ほど詳しく説明する。
【００３２】
さらに、データの偏りによる伝送信号のエネルギーの偏りを防ぐため、エネルギー拡散も行われる。このエネルギー拡散は、擬似ランダムデータと伝送信号に係るデータとのビット単位の排他的論理和をとって、データをランダム化することにより行われる。
【００３３】
このように種々の処理がなされた後にデータが伝送されることになるが、ＩＳＤＢ−Ｔ方式の伝送方式としては、ＯＦＤＭ（Orthogonal Frequency Division Multiplexing：直交周波数分割多重）方式が採用されている。このＯＦＤＭ方式は、データの搬送に、周波数の異なる複数の搬送波が用いられるマルチキャリア方式の１種である。
【００３４】
まず、送信データに含まれる複数のデータ値の配列順に従って、各データ値が異なる周波数の搬送波に振り分けられる。次に、複数の異なった周波数の搬送波に振り分けたデータ値列に高速フーリエ逆変換（Inverse Fast Fourier Transform：ＩＦＦＴ）が施されることにより、これら複数の搬送波が重ね合わされてＯＦＤＭ信号が形成される。ここで、ＯＦＤＭ方式で用いられる搬送波の波形は相互に直交しており、搬送波同士が互いに干渉しないようになっている。尚、「２つの波形が直交する」とは、時間に対する波の振幅を表すそれぞれの関数同士を掛け合わせ、一周期に相当する積分範囲で時間積分したもの（内積）がゼロになることをいう。
【００３５】
さらに、直接波以外の遅延波の影響を削減するため、変調された複数の搬送波が重ね合わされたＯＦＤＭ信号にはさらにガードインターバルが挿入される。このガードインターバルは、ＯＦＤＭ信号において有効シンボル長あたりの信号ごとに、この信号の一端部が複写されて他端部に挿入されたものである。尚、有効シンボル長とは、１つの搬送波に１つのデータを載せる区間のことを言い、ＯＦＤＭ方式で用いられる搬送波の周波数間隔の逆数に相当する。このようにガードインターバルが挿入された信号が伝送経路へ送信される。
【００３６】
以上、受信信号Ｓｒが、ＩＳＤＢ−Ｔ方式で伝送された信号である場合について説明したが、このＩＳＤＢ−Ｔ方式の他、欧州のＤＡＢ（Digital Audio Broadcasting）、ＤＶＢ−Ｔ（Digital Video Broadcasting-Terrestrial）、ＤＶＢ−Ｈ（-Handheld）方式、韓国のＤＭＢ（Digital Multimedia Broadcasting）方式、無線ＬＡＮに用いられるIEEE802.11a/b/g/n方式で伝送された信号であってもよい。
【００３７】
次に、アンテナで受信された前述の信号Ｓｒを復調するデジタル復調装置１について詳細に説明する。図２に示すように、このデジタル復調装置１は、チューナ２、復調器３及び制御部４を有する。チューナ２は携帯電話２０１（図１参照）のアンテナから信号Ｓｒを受信し、この信号Ｓｒの増幅等を行い、さらに、信号ＳｒをＩＦ（Intermediate Frequency：中間周波数）信号Ｓｉに変換して復調器３へと送信する。また、復調器３はチューナ２から送信されるＩＦ信号Ｓｉを受信し、ＩＦ信号Ｓｉから復調信号、例えばＴＳ（Transport Stream）信号を生成する。制御部４はチューナ２及び復調器３の動作をそれぞれ制御する。
【００３８】
まず、チューナ２について説明する。図３に示すように、チューナ２はＲＦアンプ部２１、ミキサ部２２、ＶＣＯ・ＰＬＬ部２３、フィルタ部２４及びＩＦアンプ部２５を有する。チューナ２で受信された信号Ｓｒは、ＲＦアンプ部２１によって増幅されて、ミキサ部２２に送られる。ＶＣＯ・ＰＬＬ部２３は、制御部４から送られたチャンネル制御信号に従って、特定のチャンネルに相当する周波数に基づくミキシング信号を形成する。
【００３９】
このミキシング信号はミキサ部２２に送られ、ミキサ部２２において信号Ｓｒとミキシング信号が混合される。さらに、フィルタ部２４において、混合された信号から不要な周波数の信号成分が除去されて、選択されたチャンネルに対応するＩＦ信号が生成される（選局処理）。さらに、このＩＦ信号は、ＩＦアンプ部２５において増幅されて、ＩＦ信号Ｓｉが復調器３へ送られる。
【００４０】
次に、復調器３について説明する。図４に示すように、復調器３は、チューナ２からのＩＦ信号Ｓｉに復調処理を施す復調部４０と、この復調部４０の各部を制御する復調制御部４１とを備えている。
【００４１】
まず、復調部４０について説明する。図５に示すように、復調部４０は、ＡＤＣ部３１、ＡＦＣ・シンボル同期部３２、ＦＦＴ部３３、フレーム同期部３４、検波部３５、波形等化部３７及び誤り訂正部３６（誤り訂正手段）を有する。そして、この復調部４０は、チューナ２から送られたＩＦ信号Ｓｉに復調処理及び誤り訂正処理を施す。
【００４２】
チューナ２から送信されたＩＦ信号ＳｉはＡＤＣ部３１に入力される。ＡＤＣ部３１（ＡＤ変換手段）は、アナログ信号であるＩＦ信号Ｓｉをデジタル信号に変換し、変換したデジタル信号をＡＦＣ・シンボル同期部３２へと送る。ＡＦＣ・シンボル同期部３２は、ＡＤＣ部３１から送られたデジタル信号に対してフィルタ処理などの補正処理等を行う。さらに、ＡＦＣ・シンボル同期部３２は、後述のＦＦＴ部３３によるフーリエ変換の開始点、つまり、シンボル同期点を決定する。そして、同期が取られたデジタル信号をＦＦＴ部３３へと送る。さらに、ＡＦＣ・シンボル同期部３２は、有効シンボル長を示すモードに係る情報を導出し、このモードに係る情報を制御部４へ送る。ここで、有効シンボル長を示すモードには、モード１（有効シンボル長２５２μｓ）、モード２（有効シンボル長５０４μｓ）及びモード３（有効シンボル長１００８μｓ）がある。
【００４３】
尚、シンボル同期点の決定においては、遅延して到達する遅延波等の影響が最も少ない最適な受信が可能な点が同期点として設定される。このような同期点の決定方法として、信号の相関を参照する方法や、パイロット信号を用いて位相のずれを補正する方法等が用いられる。
【００４４】
ＦＦＴ（Fast Fourier Transform：高速フーリエ変換）部３３は、ＡＦＣ・シンボル同期部３２から送られたデジタル信号をフーリエ（時間−周波数）変換する。ＦＦＴ部３３に入力されるデジタル信号はＯＦＤＭ信号であることから、逆フーリエ変換された波形、即ち、データ値に応じて変調された複数の搬送波が重ね合わされた波形を有する。そして、ＦＦＴ部３３は、このように重ね合わされた波形から、データ値に従って変調された複数の搬送波のデータ値をフーリエ変換によって取り出す。そして、ＦＦＴ部３３は、各搬送波に振り分けられた各データ値に対応するデジタル信号を、データの元の配列順で時間的に並ぶように並べ替えて、ＯＦＤＭ信号形成前のデータに対応するデジタル信号を再生する。そして、ＦＦＴ部３３はこのデジタル信号をフレーム同期部３４へと送る。
【００４５】
フレーム同期部３４は、ＦＦＴ部３３から送られたデジタル信号におけるフレーム単位での同期をとる。１フレームは例えば２０４のシンボルからなり、後述するように、１フレームの信号から１まとまりのＴＭＣＣ情報が取得される。フレーム同期部３４によって同期が取られたデジタル信号は波形等化部３７へと送られると同時に、検波部３５へも送られる。
【００４６】
波形等化部３７は、デジタル信号に含まれるスキャッタードパイロット信号等に基づき、フレーム同期部３４によって同期が取られたデジタル信号に対して波形等化を行う。そして、波形等化によって信号補正を施した後、データ値に相当するデジタル信号に復調し、復調したデジタル信号を誤り訂正部３６へと送る。また、波形等化部３７は、波形等化が施されたデジタル信号に含まれるスキャッタードパイロット信号等に基づき各搬送波のコンスタレーションと規定値との差を導出する。そして、導出したコンスタレーションと規定値との差から、受信信号のＭＥＲ（Modulation Error Ratio）あるいはＣＮ比に係る情報を取り出す。さらに、波形等化部３７は、ＭＥＲあるいはＣＮ比を制御部４へと送る。
【００４７】
一方、検波部３５は、１フレームの信号ごとに含まれるＴＭＣＣ情報を取り出し、このＴＭＣＣに係る情報を制御部４へと送る。ＴＭＣＣ情報には、６４ＱＡＭ、１６ＱＡＭ、ＱＰＳＫ等のキャリア変調方式、畳み込み符号化率（１／２、２／３、３／４、５／６、７／８）、ガードインターバル長等の伝送方式に係る情報が含まれる。また、ガードインターバル長として、有効シンボルの１／４，１／８，１／１６及び１／３２の長さが採用される。  
【００４８】
誤り訂正部３６は、波形等化部３７からのデジタル信号にデインターリーブ処理を施すデインターリーブ部４３，４４，４５，４７と、デジタル信号に復号処理を施す復号部４６，４９と、エネルギー逆拡散部４８とを有する。
【００４９】
デインターリーブ部としては、送信側で行われた種々のインターリーブ処理に対応する、周波数デインターリーブ、時間デインターリーブ、ビットデインターリーブ、及び、バイトデインターリーブをそれぞれ行う、周波数デインターリーブ部４３、時間デインターリーブ部４４、ビットデインターリーブ部４５、バイトデインターリーブ部４７がある。そして、種々のインターリーブ処理が施されたデジタル信号が、これらのデインターリーブ処理により、インターリーブ処理前のデジタル信号に戻される。
【００５０】
ここで、送信側のインターリーブ処理と受信側のデインターリーブ部によるデインターリーブ処理について補足しておく。例えば、送信側の時間インターリーブと、この時間インターリーブが施されたデータを元に戻す受信側の時間デインターリーブは、以下のように行われる。図６は、時間インターリーブ及び時間デインターリーブの一例を示す模式図である。この図６においては、インターリーブ及びデインターリーブ処理が施される前後の３つの信号Ｓｉが示されている。これらの信号Ｓｉは、それぞれ、時間的に連続する複数のシンボルＳｂからなる。
【００５１】
変調された複数の搬送波からなるＯＦＤＭ信号Ｓｉは、送信側の時間インターリーブにより、シンボルＳｂの長さに対応するデータごとに、あらかじめ決められた順序に従って、図６のように並べ替えられる。このように並べ替えられたデータに対応する信号が送信されたときに、伝送経路の状態によって、信号の一部に連続的なバースト誤り１０１が発生したとする。
【００５２】
このバースト誤り１０１を含む信号Ｓｉが携帯電話２０１で受信されると、時間インターリーブにより一旦並べ替えられたデータが、時間デインターリーブにより再び元の順序に戻される。このとき、伝送経路において複数のシンボルに跨って発生したバースト誤り１０１は、時間デインターリーブによりシンボルごとの誤り１０２のように分散される。
【００５３】
即ち、図６に示すように、時間インターリーブによって各シンボルは時間インターリーブ前の時間的な位置よりも後ろの位置に移動するように並べ替えが行われる。また、各シンボルにおける周波数の異なる搬送波に含まれる信号は、並べ替え後の信号におけるそれぞれ別の時間的な位置に含まれることとなる。このように、時間的に誤りが集中するバースト誤りが発生した場合でも、時間デインターリーブ後には誤りが分散されるため、復号部における復号処理により誤り訂正が可能となる。
【００５４】
また、送信側のバイトインターリーブでは、２０４バイトのＲＳ符号化の単位でデータが分散されるように、バイト単位の信号の並べ替えが行われる。また、ビットインターリーブでは、ビット単位で信号の並べ替えが行われる。さらに、周波数インターリーブでは、ＯＦＤＭ信号Ｓｉに含まれる複数の搬送波間でシンボルの並べ替えが行われる。そして、受信側のバイトデインターリーブ、ビットデインターリーブ、及び、周波数デインターリーブにより、それぞれ、インターリーブ前のデータに戻される。
【００５５】
波形等化部３７から送られたデジタル信号を復号する復号部としては、ビタビ復号部４６とＲＳ復号部４９とがある。そして、送信側においてビタビ符号化及びＲＳ符号化が施されたデジタル信号は、前述のデインターリーブ処理でその誤りが分散された後に、ビタビ復号部４６及びＲＳ復号部４９により符号化前のデジタル信号に戻されることにより、伝送時等で生じた誤りが訂正される。
エネルギー逆拡散部４８は、波形等化部３７から送られたデジタル信号を、エネルギー拡散される前のデジタル信号に戻す。
【００５６】
ここで、復号部のうち、ビタビ符号化された信号を復号するビタビ復号部４６についてさらに詳しく説明する。ビタビ符号化された信号の各データには、このデータに先行する１つ以上のデータの並び方に依存したデータが付加されている。そして、ビタビ復号部４６は、ある時点に入力されたデータとこれに先行して入力されたデータからなる所定数のデータが連なったデータ列を抽出する。そして、抽出された入力データ列から矛盾がないと判断される並べ方で並べられた同数のデータからなる、複数通りのデータ列とを比較する。このとき、入力データ列が誤りを含んでいない場合には、候補として挙げられた複数通りのデータ列の１つとデータの並びが一致する。しかし、入力データ列が誤りを含んでいる場合には、このデータ列の何れかのビットが反転しており、候補として挙げられた複数通りのデータ列と一致しない。そこで、複数列のデータ列のうち、入力データ列と比較して反転しているビットの数（ハミング距離）が小さいデータ列が最も確からしいと推定して、入力データ列を推定されたデータ列に訂正する。
【００５７】
以上は、ビタビ符号化の硬判定の場合について説明したが、一般的にはさらに性能を向上させるため、演算量・メモリ量は増加するがデータの信頼性を用いた軟判定が用いられている。通信分野で用いられる軟判定は、各搬送波の復調データの位相と大きさが本来あるべき位置とどの程度ずれているかによって信頼性を設定し、誤りのある無しに関わらず、各データのハミング距離に反映してデータ列の確からしさを推定している。
【００５８】
このように、ビタビ復号部４６に入力されるデータ列の各データには、上述のように受信状況などにより予め信頼性が設定されており、ビタビ復号部４６は、この信頼性に基づいてハミング距離を算出することにより、誤り訂正性能を向上させる。
【００５９】
また、前述したように、畳み込み符号方式は、先行するデータの履歴から符号化を行う方法であることから、この畳み込み符号化された信号を復号するビタビ復号部４６において、トレースバック長（過去に遡って参照するデータの数）が長いほど、誤り訂正性能は高くなる。そこで、ビタビ復号部４６は、信頼性に基づいてトレースバック長を変更することによりその誤り訂正性能を変更するように構成されていてもよい。即ち、信頼性が高い場合（信号状態が良好な場合）には、トレースバック長を短くすることにより復号処理の演算量等を少なくして消費電力を低減できる。一方、信頼性が低い場合（信号状態が悪い場合）には、トレースバック長を長くすることにより、誤りをより確実に訂正することができるようになる。
【００６０】
さらには、この畳み込み符号化された信号を復号するビタビ復号部４６において、データの信頼性を反映させた軟判定を用いる場合には、信頼性を反映させない硬判定と比較して、誤り訂正性能は高くなる。そこで、ビタビ復号部４６は、入力された信号Ｓｉの信頼性に基づいて、硬判定（第１復号モード）と軟判定（第２復号モード）を切り換えることによりその誤り訂正性能を変更するように構成されていてもよい。即ち、信号状態が良好で信頼性が高い場合には、この信頼性に基づくハミング距離の算出を行わない硬判定を選択することにより、復号処理の演算量等を少なくして消費電力を低減できる。一方、信号状態が悪く信頼性が低い場合には、信頼性に基づいてハミング距離を算出する軟判定を選択することにより、消費電力は増すが、誤りをより確実に訂正することができるようになる。
【００６１】
以上説明した種々のデインターリーブ、復号及びエネルギー逆拡散は、送信側で行われた種々のインターリーブ、符号化及びエネルギー拡散の順番に対応する逆の順番で行われる。即ち、図５に示すように、周波数デインターリーブ、時間デインターリーブ、ビットデインターリーブ、ビタビ復号、バイトデインターリーブ、エネルギー逆拡散及びＲＳ復号の順に行われる。
【００６２】
次に、復調制御部４１について説明する。復調制御部４１は、制御部４からの指令を受けて、復調部４０を構成する複数の回路部品の動作を制御する。ここで、復調制御部４１は、それぞれの機能を果たすように特化された回路からなる部品であってもよいし、あるいは、汎用のＣＰＵ、ＲＯＭ、ＲＡＭ等を備え、ＲＯＭに記録されたプログラムをＣＰＵで実行させることにより、それぞれの機能を果たすように構成されていてもよい。尚、本実施形態において、「回路部品」とは、前述した復調部４０のＡＤＣ部３１や誤り訂正部３６等の回路に限られるものではなく、このような回路を構成する１個のトランジスタに等価な部品等、あらゆる単位の部品が回路部品に相当し得る。
【００６３】
また、この復調制御部４１は、チューナ２から復調部４０に入力されるＩＦ信号の強さが一定となるように、チューナ２のＲＦアンプ部２１及びＩＦアンプ部２５（図３参照）のゲインを制御するＡＧＣコントローラへ、ＩＦ信号の大きさに係る情報を出力する。
【００６４】
次に、制御部４について説明する。制御部４（制御手段）は、ＣＰＵ、ＲＯＭ、ＲＡＭ等を備え、ＲＯＭに記録された種々のプログラムをＣＰＵで実行させることにより、チューナ２及び復調器３の各部の動作に係る種々の制御を行うように構成されている。例えば、制御部４は、チューナ２のＲＦアンプ部２１、ミキサ部２２、ＶＣＯ・ＰＬＬ部２３、フィルタ部２４及びＩＦアンプ部２５の各部の消費電力を制御して、デジタル復調装置１の全体の消費電力を低下させる。あるいは、制御部４は、ＲＦアンプ部２１やＩＦアンプ部２５のゲインを設定するＡＧＣコントローラを制御して、ＩＦ信号の強さを一定にさせる。
【００６５】
ところで、このような制御が制御部４により行われることによって、ＩＦ信号Ｓｉにノイズが発生する場合がある。図７は、このような制御部４の制御によるＩＦ信号Ｓｉへの影響を示すタイミングチャートである。曲線７１は、制御部４の制御によって発生するノイズの大きさを示している。曲線７１上には、ＩＦ信号Ｓｉが有するシンボルＳｂのうちの２つのシンボル７３においてノイズ７４が発生していることが示されている。
【００６６】
このようなノイズの影響を考慮するために、数式１で示されるＣＮ比が導入される。ここで、Ｃｄ及びＮｄはそれぞれ１シンボルあたりの搬送波及びノイズの電力である。
【００６７】
【数１】
2007150535.tif 000003
【００６８】
この数式１におけるノイズの電力Ｎｄには、制御部４による制御によって発生するノイズの電力Ｎｉと、Ｎｉ以外の、受信信号Ｓｒに含まれるノイズの電力とチューナ２が信号Ｓｒを受信してＩＦ信号Ｓｉに変換するまでに発生するノイズの電力を加えた電力Ｎｏとがある。したがって、図７の曲線７１によって示されるノイズ７４を含めたシンボル７３のＣＮ比は、数式２で示される。
【００６９】
【数２】
2007150535.tif 000004
【００７０】
また、図７において、曲線７２は、数式２から求められる信号ＳｒのＣＮ比を示している。尚、以下の説明に当たっては、特に断りがない限り、チューナ２が信号Ｓｒを受信するまでに発生するノイズに時間的な変化がなく、受信状態が安定している場合が想定されている。従って、曲線７２が示すＣＮ比は、ノイズ７４によってシンボル７３の範囲において低下し、その他の範囲では一定の値となる。
【００７１】
ここで、制御部４による制御によってＣＮ比が低下したシンボルに関し、その信号状態の悪化の程度によっては（例えば、シンボルがほとんどつぶれてしまっている場合など）、その部分のデータを取り出すことができない場合もある。このような場合には、復調部４０において、信号状態が正常なシンボルと同じ復調処理を施すことは無駄である。そこで、本実施形態のデジタル復調装置１は、制御部４による所定の制御が行われたと仮定したときの信号状態を予測し、信号状態が悪化した部分に対する復調処理の性能を低下させるように復調制御部４１により復調部４０の各部を制御して、復調器３の消費電力を低下させることが可能に構成されている。
【００７２】
図８に示すように、制御部４は、ＣＮ比推定部９２（ＣＮ比推定手段）と、信号状態予測部９３（信号状態予測手段）とを備えている。
【００７３】
ＣＮ比推定部９２は、まず、制御部４がチューナ２及び復調器３の各部の動作を制御したと仮定した場合に信号Ｓｉに発生することとなる仮想的なノイズの量Ｎｉを推定する。この仮想的なノイズの量は、制御部４が制御する部品、制御量等から導出される。あるいは、これらのパラメータとノイズ量との関数から、発生するノイズの量Ｎｉが求められてもよい。さらに、ＣＮ比推定部９２は、推定されたノイズの量Ｎｉと、波形等化部３７から送られたＣＮ比に係る情報から、前述した数式２で示されるＣＮ比を算出する。
【００７４】
信号状態予測部９３は、ＣＮ比推定部９２で推定された仮想的なＣＮ比に基づいて、制御部４による所定の制御が行われたと仮定したときの受信信号の信号状態を予測する。具体的には、信号状態予測部９３はＣＮ比に係る所定の閾値（例えばＣＮ比＝４．５ｄＢ）を保持しており、ＣＮ比推定部９２で推定されたＣＮ比がこの閾値以下となる場合には、その部分の信号状態が所定の状態（例えば、シンボルがほぼ完全につぶれた状態）まで悪化すると判定する。尚、ＣＮ比に係る所定の閾値は、６４ＱＡＭ、１６ＱＡＭ、ＱＰＳＫなどの受信信号のキャリア変調方式等によって異なる。そのため、信号状態予測部９３は、キャリア変調方式等と種々の閾値との対応関係を示すテーブルを保持しており、このようなテーブルとキャリア変調方式等の情報に基づいて適正な閾値を求める。
【００７５】
その後、制御部４によりチューナ２及び復調器３の各部に対する所定の制御が行われるが、その際、前述の信号状態予測部９３により、制御部４による制御が行われることにより、受信信号の一部の信号状態が悪化すると判定されたときには、制御時点から制御による影響が少なくなるまでの信号が悪化する区間（シンボル）情報が、制御部４から復調制御部４１へ送られる。そして、復調制御部４１（動作制御手段）は、復調部４０を構成する複数の回路部品が信号状態の悪化する区間を処理する際の、これら複数の回路部品の少なくとも１つの動作をその性能が低下するように制御する。
【００７６】
この復調制御部４１による性能低下制御についてより具体的に説明する。まず、復調制御部４１は、信号状態が悪化すると予測された部分を処理するタイミングで、ＡＤＣ部３１の分解能（ビット数）、あるいは、サンプリング周波数を小さくするなど、ＡＤＣ部３１の性能を低下させるように供給電力を減少させる。あるいは、ＡＤＣ部３１の電源をＯＦＦにしてもよい。
【００７７】
さらに、復調制御部４１は、ＡＤＣ部３１で変換されたデジタル信号を処理するＦＦＴ部３３等のデジタル回路の少なくとも１つに対して、電源をＯＦＦにするなどして、受信信号に対する処理を信号状態が悪化すると予測されたシンボル単位で停止させる。
【００７８】
まず、ＡＦＣ・シンボル同期部３２においては、ＡＤＣ部３１から正常なデータが入力されなくなるので、シンボル同期処理を停止させる。このとき、前後のデータに悪影響が出るのを防止するために直前の状態を保持させる。例えば、ＡＦＣ・シンボル同期部３２が信号の相関を参照してシンボル同期点を決定する場合には、その自己相関計算を止めて、シンボル同期点に係る情報を前の状態に保持させる。また、ＦＦＴ部３３におけるＦＦＴ処理を停止させる。さらに、フレーム同期部３４における当該シンボル区間でのフレーム同期処理を停止させる。この際、今までに処理したフレーム同期処理に基づき、当該シンボルがフレーム区切りである、なしの推定を行うとともに、推定結果に基づき次シンボル以降は、フレーム同期処理が停止していないものとして処理を行う。
【００７９】
ところで、ＦＦＴ処理を停止すると正確なシンボルのデータを抽出できなくなる。また、ＦＦＴ処理を停止しない場合であっても、ＦＦＴ以外の処理（例えば、シンボル同期等）の停止によって、正確なシンボルのデータの抽出はできなくなる。この場合、当該シンボルにかかるＴＭＣＣ情報が誤るため、検波部３５における検波処理（ＴＭＣＣ情報の取り出し）を当該シンボルにおいて停止させ、前のフレームの当該シンボルにかかるＴＭＣＣのデータに基づき、当該シンボルのＴＭＣＣ情報を保持あるいは再現させる。また、波形等化部３７において波形等化処理を停止させる。ここで、ノイズの影響を少なくするため、時間的にスキャッタードパイロット信号を用いてフィルタ処理、あるいは平均化処理を行って等化処理を行う場合には、前後のシンボルに悪影響が出るのを防ぐため、このようなフィルタ処理や平均化処理に、信号状態が悪化したシンボルの情報を用いない。
さらに、周波数デインターリーブ部４３における周波数デインターリーブ処理を止める。
【００８０】
このように、復調制御部４１が、信号状態が悪化するシンボル単位で、ＡＦＣ・シンボル同期部３２から周波数デインターリーブ部４３までのデジタル回路の処理を停止させるため、各デジタル回路における不必要な演算量等が減り、消費電力が小さくなる。
【００８１】
また、前述したように、復調制御部４１は、チューナ２のＲＦアンプ部２１及びＩＦアンプ部２５のゲインを制御するＡＧＣコントローラへ、ＩＦ信号の大きさに係る情報を出力するが、上記の制御が行われたときにはそのＩＦ信号に係る情報が誤るため、この制御を行う場合には制御を行う前のシンボルにおける情報を保持してＡＧＣコントローラへ出力する。
【００８２】
尚、以上の性能低下制御が行われた後に、信号状態が正常であると予測されるシンボルが入力されるときには、復調制御部４１は、ＡＤＣ部３１の供給電力を元に戻すと共に、各デジタル回路を復帰させて、受信信号に対する処理を正常に行わせる。
【００８３】
ところで、復調制御部４１により、ＡＤＣ部３１の電力減少制御やそれ以降のデジタル回路の処理を停止する制御が行われたときには、周波数デインターリーブ部４３から時間デインターリーブ部４４へデータが出力されなくなり、時間デインターリーブ処理を正常に行うことができなくなる。そこで、本実施形態では、図５に示すように、復調部４０内に、デジタル回路の処理がシンボル単位で停止したときに、受信信号の代わりに時間デインターリーブ部４４へダミー信号を供給するダミー信号生成部５０（ダミー信号生成手段）が構築されている。このダミー信号生成部５０は、復調制御部４１からの指令を受けて、信号状態が悪化したシンボルの代わりに、時間デインターリーブ部４４へダミー信号を出力する。具体的には、ＡＤＣ部３１の電力制御が行われたときに、ＡＤＣ部３１から出力されるクロックに従って、ダミー信号生成部５０からダミー信号が時間デインターリーブ部４４へ出力される。
【００８４】
ここで、前述したように、ビタビ復号部４６に入力されるデータ列の各データには、受信状況などに基づいて予め信頼性が設定され、ビタビ復号部４６は、この信頼性に基づいて誤り訂正性能を変更するようになっている。しかし、前述の復調制御部４１による制御が行われると、ビタビ復号部４６には、設定された信頼性とは関係なく、誤った信号（ダミー信号）が入力されることになるため、ビタビ復号部４６における誤り訂正性能が低下する虞がある。
【００８５】
そこで、ダミー信号生成部５０は、ダミー信号の信頼性を最も低く設定する。この場合には、ダミー信号が入力されたときには、ビタビ復号部４６は、入力された信号の信頼性が最も低いものとしてハミング距離を算出することにより、ダミー信号以外の信号に基づいて誤り訂正を行うため、その誤り訂正性能を向上させることができる。さらに、ダミー信号が入力されたときには、ビタビ復号部４６は、トレースバック長を長くすることにより誤り訂正性能を高くする。そのため、ダミー信号を含む入力信号の誤りをより正確に訂正できる。
【００８６】
次に、制御部４による所定の制御が行われるときの、復調制御部４１による復調部４０の性能低下制御を含む一連の制御について、図９のフローチャートを参照して説明する。尚、図９において、Ｓｎ（ｎ＝１，２，３・・・）は各ステップを示す。
【００８７】
まず、ＣＮ比推定部９２により、制御部４がチューナ２及び復調器３の各部の動作を制御したと仮定した場合に信号Ｓｉに発生することとなる仮想的なノイズの量Ｎｉと、波形等化部３７から送られたＣＮ比に係る情報とから、仮想的なＣＮ比を算出する（Ｓ１）。次に、信号状態予測部９３により、ＣＮ比推定部９２で推定されたＣＮ比に基づいて、制御部４による所定の制御が行われたと仮定したときの受信信号の信号状態を予測する（Ｓ２：信号状態予測ステップ）。
【００８８】
受信信号の信号状態が所定の状態（例えば、ＣＮ比＝４．５ｄＢ）まで悪化しないと予測されたときには（Ｓ２：Ｎｏ）、制御部４による制御を行い（Ｓ３）、復調制御部４１による復調部４０の性能低下制御は特に行わない。一方、制御部４による制御により受信信号の信号状態が所定の状態まで悪化すると予測されたときには（Ｓ２：Ｙｅｓ）、制御部４による制御を行うとともに（Ｓ４）、以下のように、復調制御部４１による復調部４０の性能低下制御を行う（動作制御ステップ）。
【００８９】
まず、信号状態が悪化すると予測される部分を処理するタイミングで、ＡＤＣ部３１の電力を減少させて、分解能やサンプリング周波数を小さくするなど、ＡＤＣ部３１の性能を低下させる。あるいは、ＡＤＣ部３１の電源をＯＦＦし停止させる（Ｓ５）。また、信号状態が悪化するシンボル単位で、以下のデジタル回路における処理をそれぞれ停止させる。即ち、ＡＦＣ・シンボル同期部３２におけるシンボル同期処理、ＦＦＴ部３３におけるＦＦＴ処理、フレーム同期部３４におけるフレーム同期処理を、それぞれ停止させる（Ｓ６，Ｓ７，Ｓ８）。また、波形等化部３７における波形等化処理を停止させるとともに（Ｓ９）、検波部３５における検波処理（ＴＭＣＣ情報の取り出し）を停止させる（Ｓ１０）。さらに、周波数デインターリーブ部４３における周波数デインターリーブ処理を停止させる（Ｓ１１）。そして、以上の制御によって送られなくなった受信信号の代わりに、信頼性が最も低く設定されたシンボル分単位のダミー信号を時間デインターリーブ部４４へ入力し（Ｓ１２）、ビタビ復号部４６において、入力された信号の信頼性に基づいて誤り訂正を行う（Ｓ１３）。
【００９０】
以上説明したデジタル復調装置１によれば、次のような効果が得られる。
制御部４による所定の制御が行われることなどによって、受信信号の状態が悪化すると予測されるときには、復調制御部４１は、復調器３を構成する回路部品の動作をその性能が低下するように制御する。つまり、制御部４による制御によって受信信号の状態が悪化するときには、その状態が悪化した部分に対する復調処理の性能を低下させるため、復調器３の消費電力を低下させることができる。
【００９１】
次に、前記実施形態に種々の変更を加えた変更形態について説明する。但し、前記実施形態と同様の構成を有するものについては、同じ符号を付して適宜その説明を省略する。
１］前記実施形態では、制御部４による制御により、受信信号の１つのシンボルの信号状態が悪化する例について説明したが（図７参照）、連続する２以上のシンボルの信号状態が悪化する場合には、復調制御部４１は、これら２以上のシンボルにおいて、復調部４０を構成する回路部品の動作をその性能が低下するように制御する。
【００９２】
２］前記実施形態では、制御部４がチューナ２及び復調器３の外部に構築されているが、制御部４の機能を有する各部がチューナ２や復調器３の内部に構築されていてもよい。あるいは、前述した実施形態のデジタル復調装置１を備えた携帯電話等のデジタル受信装置を制御するホストＣＰＵとこのＣＰＵを機能させるプログラムとによって、制御部４が構築されていてもよい。また、復調制御部４１も復調器３の内部に構築されている必要はなく、復調器３の外部に構築されていてもよい。
【００９３】
３］前記実施形態では、デジタル復調装置１の制御部４によりチューナ２及び復調器３の各部が制御されたときに受信信号の信号状態が悪化する場合を例に挙げて、復調器３の性能低下制御を説明したが、携帯電話等のデジタル受信装置の全体を制御するホストＣＰＵ（制御手段）により、受信装置の各部に対して制御がなされたときにも、受信信号の信号状態が悪化することがあり得る。例えば、携帯電話が、その位置情報を外部へ知らせるための信号等を発信したときに、このような信号は受信される信号にとっては妨害波となるため、受信信号の信号状態が悪化することがある。このような場合でも、前記実施形態と同じように、復調器を構成する回路部品の動作をその性能が低下するように制御することで、復調器の消費電力を低減することができる。
【図面の簡単な説明】
【００９４】
【図１】本発明の実施形態に係るデジタル受信装置の一例である携帯電話を示す図である。
【図２】デジタル復調装置の概略構成を示すブロック図である。
【図３】チューナのブロック図である。
【図４】復調器のブロック図である。
【図５】復調部のブロック図である。
【図６】時間インターリーブ及び時間デインターリーブの説明図である。
【図７】制御部による制御が受信信号に与える影響を示すタイミングチャートである。
【図８】制御部のブロック図である。
【図９】復調部を構成する回路部品の性能低下制御を含む一連の制御のフローチャートである。
【符号の説明】
【００９５】
Ｓｒ，Ｓｉ  信号
１  デジタル復調装置
２  チューナ
３  復調器
４  制御部
３１  ＡＤＣ部
３２  ＡＦＣ・シンボル同期部
３３  ＦＦＴ部
３４  フレーム同期部
３５  検波部
３６  誤り訂正部
３７  波形等化部
４０  復調部
４１  復調制御部
４４  時間デインターリーブ部
４６  ビタビ復号部
５０  ダミー信号生成部
９２  ＣＮ比推定部
９３  信号状態予測部
２０１  携帯電話（デジタル受信装置）
【図１】
2007150535.tif 000005
【図２】
2007150535.tif 000006
【図３】
2007150535.tif 000007
【図４】
2007150535.tif 000008
【図５】
2007150535.tif 000009
【図６】
2007150535.tif 000010
【図７】
2007150535.tif 000011
【図８】
2007150535.tif 000012
【図９】
2007150535.tif 000013